(57)【要約】【課題】外来ノイズの周期が１Ｈ期間の周期と干渉しているような場合でもタッチ信号を確実に検出する。【解決手段】タッチパネル３０に対する入力操作の外来ノイズの存否を少なくとも検知するノイズ検知部４３と、ノイズ検知部４３によって外来ノイズの存在が検知された場合に、１Ｈ期間の周期または時間を調整することで、外来ノイズを低減させる処理を実行する液晶駆動パラメータ設定部５１と、を備えている。【選択図】図２
2014041555.tif 000002
【特許請求の範囲】
【請求項１】
駆動信号を送信してタッチパネルの駆動を制御する駆動制御手段と、
上記タッチパネルの各座標から出力される複数の出力信号を検知する信号検知手段と、
上記信号検知手段が検知した上記複数の出力信号のいずれか少なくとも１つの大きさに基づいて、上記タッチパネルに対する入力操作の外来ノイズの存否を少なくとも検知するノイズ検知手段と、
上記ノイズ検知手段によって上記外来ノイズの存在が検知された場合に、上記駆動信号の水平同期期間の周期または時間を調整することで、上記外来ノイズを低減させる処理を実行するノイズ低減手段と、を備えていることを特徴とするタッチパネル駆動装置。
【請求項２】
上記ノイズ検知手段によって上記外来ノイズの存在が検知された場合に、当該外来ノイズの存在が検知されたことを示す割込み信号を上記ノイズ低減手段に送信する割込み制御手段を備え、
上記ノイズ低減手段は、
上記割込み制御手段から上記割込み信号を受信した場合に、上記外来ノイズを低減させる処理を実行することを特徴とする請求項１に記載のタッチパネル駆動装置。
【請求項３】
上記ノイズ検知手段は、
さらに上記外来ノイズの周期を特定し、
上記ノイズ低減手段は、
上記ノイズ検知手段によって特定された上記外来ノイズの周期に基づいて、上記信号検知手段が上記複数の出力信号を検知する際に所定量以上の外来ノイズが入力されないように、上記駆動信号の水平同期期間の周期または時間を調整することを特徴とする請求項１または２に記載のタッチパネル駆動装置。
【請求項４】
上記外来ノイズを低減させる処理を実行する際に上記ノイズ低減手段によって調整された水平同期期間の周期または時間を格納する格納部を備えていることを特徴とする請求項１から３までのいずれか１項に記載のタッチパネル駆動装置。
【請求項５】
請求項１から４までのいずれか１項に記載のタッチパネル駆動装置と、
上記タッチパネルと、を備えていることを特徴とする表示装置。
【請求項６】
液晶表示装置であることを特徴とする請求項５に記載の表示装置。
【請求項７】
請求項２に記載のタッチパネル駆動装置と、
上記タッチパネルと、
上記タッチパネル駆動装置と上記タッチパネルとを備えた表示装置への電源を供給する給電手段と、を備えた携帯端末であって、
上記割込み制御手段は、
上記給電手段の給電可能残量に応じて、上記割込み信号を上記ノイズ低減手段に送信するか否かを決定することを特徴とする携帯端末。
【請求項８】
請求項１から４までのいずれか１項に記載のタッチパネル駆動装置の各手段としてコンピュータを動作させるためのタッチパネル駆動プログラム。
【請求項９】
請求項８に記載のタッチパネル駆動プログラムを記録したコンピュータ読み取り可能な記録媒体。
【請求項１０】
駆動信号を送信してタッチパネルの駆動を制御するタッチパネル駆動方法であって、
上記タッチパネルの各座標から出力される複数の出力信号を検知する信号検知ステップと、
上記信号検知ステップで検知した上記複数の出力信号のいずれか少なくとも１つの大きさに基づいて、上記タッチパネルに対する入力操作の外来ノイズの存否を少なくとも検知するノイズ検知ステップと、
上記ノイズ検知ステップで上記外来ノイズの存在が検知された場合に、上記駆動信号の水平同期期間の周期または時間を調整することで、上記外来ノイズを低減させる処理を実行するノイズ低減ステップと、を含んでいることを特徴とするタッチパネルの駆動方法。
【発明の詳細な説明】
【技術分野】
【０００１】
本発明は、駆動信号を送信してタッチパネルの駆動を制御するタッチパネル駆動装置、該タッチパネル駆動装置を備えた表示装置、該表示装置を備えた携帯端末、タッチパネル駆動プログラム、該タッチパネル駆動プログラムを記録したコンピュータ読み取り可能な記録媒体、および、タッチパネルの駆動方法に関する。
【背景技術】
【０００２】
近年、タッチパネルと称される入力装置を、液晶表示装置などの表示装置に組込み、通常の機械式ボタンの代替手段として、表示装置に各種の仮想キーを表示させることにより情報入力を可能にするＧＵＩ（Graphical User Interface）を導入した表示装置が注目されている。
【０００３】
タッチパネルの方式としては、光学式や抵抗式などいくつかの方式が存在するが、特に携帯端末などでは、比較的単純な構造をもち、かつ低消費電力が実現できる、静電容量型のタッチパネルが一般的に使用されている。
【０００４】
しかしながら、静電容量型のタッチパネルには、インバータ蛍光灯やＡＭ（amplitude modulation）波、ＡＣ（alternating current）電源などに起因するノイズ（以下、外来ノイズという。）がタッチパネルに伝播し誤動作を引き起こす可能性があるという問題点がある。
【０００５】
この誤動作は、タッチパネルにユーザが指などで接触または近接することにより発生するタッチの有無に関する信号（以下、タッチ信号という。）と外来ノイズとを区別できないことに起因する。通常、タッチパネルは送信回路からタッチパネルを駆動する信号（以下、駆動信号）を出力し、受信回路において駆動信号の立ち上がり、もしくは、立下りのタイミングで検出し、受信信号はＡ／Ｄ（交流／直流）変換される。その検出周期と外来ノイズの周期とが干渉していた場合、本来検出すべきタッチ信号と外来ノイズとを区別できなくなってしまう可能性がある。
【０００６】
そこで、例えば、特許文献１では、静電容量型のタッチパネルを駆動する駆動信号に同期したタッチ信号を検出する際、周波数の異なる複数の駆動信号を用い、外来ノイズの影響を受けない条件を選択してタッチ信号を検出する方法が提案されている。この方法では、受信回路が周波数の異なる複数の駆動信号を用いており、これらの駆動信号の中から、外来ノイズの影響を受けない周波数の駆動信号を選択してタッチ信号を検出している。
【０００７】
次に、特許文献２では、検出タイミング信号による検出タイミングに対応する補正データを表示タイミング信号に同期して補正データテーブルから取得し、取得した補正データを用いて補正回路が検出データの補正を行うようになっている。
【０００８】
また、特許文献３では、駆動制御回路が、検出信号が外部近接物体の存在に起因する正負非対称の信号成分を含む極性交番信号となるように、上記駆動信号を印加する制御を行っている。
【０００９】
さらに、特許文献４では、連続する偶数個のフレームについて、接触情報の移動平均を計算することにより、各フレームにおける算出接触情報を取得するようになっている。
【先行技術文献】
【特許文献】
【００１０】
【特許文献１】米国特許出願公開２００７／０２５７８９０号公報（２００７年１１月８日公開）
【特許文献２】特開２０１１−１３９９６号公報（２０１１年１月２０日公開）
【特許文献３】特開２０１１−  ８７２４号公報（２０１１年１月１３日公開）
【特許文献４】特開２０１２−  ４３３９４号公報（２０１２年３月１日公開）
【発明の概要】
【発明が解決しようとする課題】
【００１１】
しかしながら、上記従来技術では、液晶駆動とタッチパネル駆動とを同期させている状態で、外来ノイズの周期がタッチパネル駆動の駆動信号の水平同期期間（以下、単に「１Ｈ期間」という）の周期と干渉しているような場合、外来ノイズとタッチ信号とを区別することが困難な検出タイミングが生じてしまう可能性があるという問題点がある。
【００１２】
例えば、上記の特許文献１の技術では、周波数の異なる複数の駆動信号を用いているものの、１Ｈ期間の周期または時間が固定されているため、外来ノイズの周期が１Ｈ期間の周期と干渉しているような場合には、外来ノイズとタッチ信号とを区別することが困難な検出タイミングが生じてしまう可能性がある。
【００１３】
同様に、以上のような外来ノイズの周期が１Ｈ期間の周期と干渉しているような場合に、外来ノイズとタッチ信号とを区別することが困難になる可能性があるという問題点、および、その解決方法については、上記の特許文献２〜４のいずれにも記載も示唆もされていない。
【００１４】
本発明は、上記従来の問題点に鑑みなされたものであって、その目的は、外来ノイズの周期が１Ｈ期間の周期と干渉しているような場合でもタッチ信号を確実に検出することができるタッチパネル駆動装置などを提供することにある。
【課題を解決するための手段】
【００１５】
本発明のタッチパネル駆動装置は、上記の課題を解決するために、駆動信号を送信してタッチパネルの駆動を制御する駆動制御手段と、上記タッチパネルの各座標から出力される複数の出力信号を検知する信号検知手段と、上記信号検知手段が検知した上記複数の出力信号のいずれか少なくとも１つの大きさに基づいて、上記タッチパネルに対する入力操作の外来ノイズの存否を少なくとも検知するノイズ検知手段と、上記ノイズ検知手段によって上記外来ノイズの存在が検知された場合に、上記駆動信号の水平同期期間の周期または時間を調整することで、上記外来ノイズを低減させる処理を実行するノイズ低減手段と、を備えていることを特徴とする。
【００１６】
本発明のタッチパネル駆動方法は、上記の課題を解決するために、駆動信号を送信してタッチパネルの駆動を制御するタッチパネル駆動方法であって、上記タッチパネルの各座標から出力される複数の出力信号を検知する信号検知ステップと、上記信号検知ステップで検知した上記複数の出力信号のいずれか少なくとも１つの大きさに基づいて、上記タッチパネルに対する入力操作の外来ノイズの存否を少なくとも検知するノイズ検知ステップと、上記ノイズ検知ステップで上記外来ノイズの存在が検知された場合に、上記駆動信号の水平同期期間の周期または時間を調整することで、上記外来ノイズを低減させる処理を実行するノイズ低減ステップと、を含んでいることを特徴とする。
【００１７】
ここで、外来ノイズを受けている場合の複数の出力信号のいずれか少なくとも１つ（以下、単に「出力信号」という）の大きさは、外来ノイズを受けていない場合の通常の出力信号の大きさよりも大きくなる傾向があることを本発明者は見出した。すなわち、検知された出力信号の大きさが通常の出力信号よりも大きければ、外来ノイズを受けている可能性が高く、検知された出力信号の大きさが通常の出力信号と同程度であれば、外来ノイズを受けていない可能性が高い。よって、出力信号の大きさを検知することにより、外来ノイズの存否を検知することができる。
【００１８】
このため、上記の構成または方法では、ノイズ検知手段またはノイズ検知ステップにて、信号検知手段または信号検知ステップで検知した複数の出力信号のいずれか少なくとも１つの大きさに基づいて、タッチパネルに対する入力操作の外来ノイズの存否を少なくとも検知している。
【００１９】
ここで、「複数の出力信号のいずれか少なくとも１つの大きさに基づいて」とは、１つの出力信号に基づく場合と、２以上の出力信号に基づく場合とが考えられる。１つの出力信号に基づく場合としては、例えば、複数の出力信号のメジアンなどを求めるような場合が考えられる。一方、複数の出力信号に基づく場合としては、例えば、複数の出力信号の平均値や偏差値などを求めるような場合が考えられる。
【００２０】
また、「外来ノイズの存否」は、例えば、上記のメジアン、平均値、偏差値などが予め定めた閾値を超えるか否かによって判定することができる。なお、上記のメジアン、平均値、偏差値などを利用するのは、誤検知を回避するためである。
【００２１】
次に、外来ノイズの周期がタッチパネルの駆動信号の水平同期期間（以下、「１Ｈ期間」という）の周期と干渉しているような場合でも、駆動信号の１Ｈ期間の周期または時間を調整することができれば、外来ノイズと１Ｈ期間の周期の干渉を抑制することができ（より具体的には、外来ノイズのピーク周波数を回避することができ）、外来ノイズを低減させることが可能となる。
【００２２】
このため、上記の構成または方法では、ノイズ検知手段またはノイズ検知ステップで外来ノイズの存在が検知された場合に、駆動信号の１Ｈ期間の周期または時間を調整することで、外来ノイズを低減させる処理を実行するようにしている。これにより、外来ノイズの周期が１Ｈ期間の周期と干渉しているような場合でも、タッチ信号を確実に検出することができる。
【００２３】
また、本発明のタッチパネル駆動装置は、上記の構成に加えて、上記ノイズ検知手段によって上記外来ノイズの存在が検知された場合に、当該外来ノイズの存在が検知されたことを示す割込み信号を上記ノイズ低減手段に送信する割込み制御手段を備え、上記ノイズ低減手段は、上記割込み制御手段から上記割込み信号を受信した場合に、上記外来ノイズを低減させる処理を実行しても良い。
【００２４】
上記構成によれば、外来ノイズを低減させる処理を実行する部分と（例えば、ホストコントローラ）、外来ノイズの検知を行う部分（例えば、タッチパネルコントローラ）とを別々に分離して設けることができるので、例えば、タッチパネルコントローラに外来ノイズを低減させる処理を実行する部分および外来ノイズの検知を行う部分の両方を設ける場合よりも、タッチパネルコントローラにおける情報処理の処理コストや装置コストを低減させることができる。
【００２５】
また、本発明のタッチパネル駆動装置は、上記の構成に加えて、上記ノイズ検知手段は、さらに上記外来ノイズの周期を特定し、上記ノイズ低減手段は、上記ノイズ検知手段によって特定された上記外来ノイズの周期に基づいて、上記信号検知手段が上記複数の出力信号を検知する際に所定量以上の外来ノイズが入力されないように、上記駆動信号の水平同期期間の周期または時間を調整しても良い。
【００２６】
上記構成によれば、水平同期期間の周期または時間が必要以上に大きく変更されることがないため、水平同期期間の周期または時間の変更により、例えば、表示のフレームレートが６０Ｈｚ未満となってしまうような事態を回避することができる。
【００２７】
また、本発明のタッチパネル駆動装置は、上記の構成に加えて、上記外来ノイズを低減させる処理を実行する際に上記ノイズ低減手段によって調整された水平同期期間の周期または時間を格納する格納部を備えていても良い。
【００２８】
上記構成によれば、予め格納部に格納した水平同期期間の周期または時間の調整値を呼び出すことで、調整値を格納部に格納した後の、外来ノイズを回避するための処理時間およびタッチパネル感度劣化時間の短縮化が可能となり、タッチ検出時間を短くすることができる。すなわちタッチパネルの操作性を向上させることができる。
【００２９】
また、本発明の表示装置は、上記の構成に加えて、上記のいずれかのタッチパネル駆動装置と、上記タッチパネルと、を備えていることが好ましい。
【００３０】
上記の構成によれば、外来ノイズの周期が１Ｈ期間の周期と干渉しているような場合でもタッチ信号を確実に検出することができる表示装置を実現できる。
【００３１】
また、本発明の表示装置は、上記の構成に加えて、液晶表示装置であっても良い。
【００３２】
また、本発明の携帯端末は、上記の構成に加えて、上記割込み制御手段を備えたタッチパネル駆動装置と、上記タッチパネルと、上記タッチパネル駆動装置と上記タッチパネルとを備えた表示装置への電源を供給する給電手段と、を備えた携帯端末であって、上記割込み制御手段は、上記給電手段の給電可能残量に応じて、上記割込み信号を上記ノイズ低減手段に送信するか否かを決定しても良い。
【００３３】
上記の構成によれば、例えば、給電手段の給電可能残量が少なくなった場合に、割込み制御手段に割込み信号をノイズ低減手段に送信させないようにすれば、消費電力を低減させることができ、携帯端末の稼働可能時間を増加させることができる。
【００３４】
また、給電可能残量（例えば、電池残量）が下がると、例えば、定電流で給電回路が動作する。定電流状態では、電源回路のスイッチング（ＳＷ）周波数が一定であるため、例えば、図７に示すスプリアスのノイズの出方がほとんど変わらなくなる。
【００３５】
なお、上記タッチパネル駆動装置およびタッチパネル駆動方法における各手段、および、各ステップのそれぞれは、コンピュータによって実現してもよく、この場合には、コンピュータを上記各手段として動作させ、コンピュータに上記各ステップを実行させることにより上記タッチパネル駆動装置およびタッチパネル駆動方法を、コンピュータにて実現させるタッチパネル駆動プログラムおよびそれを記録したコンピュータ読み取り可能な記録媒体も、本発明の範疇に入る。
【発明の効果】
【００３６】
本発明のタッチパネル駆動装置は、以上のように、駆動信号を送信してタッチパネルの駆動を制御する駆動制御手段と、上記タッチパネルの各座標から出力される複数の出力信号を検知する信号検知手段と、上記信号検知手段が検知した上記複数の出力信号のいずれか少なくとも１つの大きさに基づいて、上記タッチパネルに対する入力操作の外来ノイズの存否を少なくとも検知するノイズ検知手段と、上記ノイズ検知手段によって上記外来ノイズの存在が検知された場合に、上記駆動信号の水平同期期間の周期または時間を調整することで、上記外来ノイズを低減させる処理を実行するノイズ低減手段と、を備えている構成である。
【００３７】
また、本発明のタッチパネル駆動方法は、以上のように、上記タッチパネルの各座標から出力される複数の出力信号を検知する信号検知ステップと、上記信号検知ステップで検知した上記複数の出力信号のいずれか少なくとも１つの大きさに基づいて、上記タッチパネルに対する入力操作の外来ノイズの存否を少なくとも検知するノイズ検知ステップと、上記ノイズ検知ステップで上記外来ノイズの存在が検知された場合に、上記駆動信号の水平同期期間の周期または時間を調整することで、上記外来ノイズを低減させる処理を実行するノイズ低減ステップと、を含んでいる方法である。
【００３８】
それゆえ、外来ノイズの周期が１Ｈ期間の周期と干渉しているような場合でもタッチ信号を確実に検出することができるという効果を奏する。
【図面の簡単な説明】
【００３９】
【図１】本発明の実施の一形態である携帯端末装置の構成を示すブロック図である。
【図２】上記携帯端末装置が備える液晶表示装置の構成を示すブロック図である。
【図３】上記液晶表示装置のタッチパネルの具体的な構成を示す回路図である。
【図４】上記液晶表示装置が備えるタッチパネルコントローラの構成を示すブロック図である。
【図５】外来ノイズの低減処理の流れを説明するためのタイミングチャートである。
【図６】外来ノイズの低減処理の流れを説明するためのフローチャートであり、（ａ）は、タッチパネルコントローラ側の制御フローを示し、（ｂ）は、ホストコントローラ側の制御フローを示す。
【図７】上記携帯端末装置に電源変換装置（ＡＣチャージャー）を接続したときに発生する外来ノイズの周波数分布の一例を示すグラフである。
【発明を実施するための形態】
【００４０】
本発明の一実施形態について図１〜図７に基づいて説明すれば、次の通りである。以下の特定の項目で説明する構成以外の構成については、必要に応じて説明を省略する場合があるが、他の項目で説明されている場合は、その構成と同じである。また、説明の便宜上、各項目に示した部材と同一の機能を有する部材については、同一の符号を付し、適宜その説明を省略する。
【００４１】
〔携帯端末装置１〕
まず、図１に基づき、本発明の実施の一形態である携帯端末装置（携帯端末）１の構成について説明する。図１は、携帯端末装置１の構成を示すブロック図である。
【００４２】
本実施形態の携帯端末装置１は、タッチパネルセンサ（ＴＰセンサ）とＬＣＤ（Liquid Crystal Display）ガラスとを貼り合せて、タッチパネルコントローラ４０（ＴＰコントローラ）と、液晶ドライバ１２とをホストコントローラ５０から制御するシステムを想定している。タッチパネルコントローラ４０は、液晶ドライバ１２から出力されるＨｓｙｎｃ信号（水平同期信号ＨＳ）に同期してＴＰセンサを駆動する。
【００４３】
同図に示すように、携帯端末装置１は、液晶表示装置（表示装置）２および給電装置３を備える。
【００４４】
（給電装置３、電源変換装置４）
給電装置３内の電池５を充電したい場合、携帯端末装置１と電源変換装置４（ＡＣチャージャー）を接続することで充電される。
【００４５】
電池５の例としては、リチウムイオン電池やリチウムポリマー電池の他、超小型燃料電池（ＤＭＦＣ：直接メタノール型燃料電池）、空気亜鉛電池、光空気２次電池、プロトンポリマー電池、有機ラジカル電池などを例示することができる。
【００４６】
ここで、携帯端末装置１に電源変換装置４を接続すると、タッチパネル３０の駆動周波数と電源変換装置４のスイッチングノイズの周波数が干渉して、タッチパネルの感度に悪影響を与えることがある。
【００４７】
そこで、駆動周波数の周期と、タッチパネル３０の駆動周波数の周期との干渉を回避するために、タッチパネルの駆動周波数を変更する方法が考えられるが、従来は、液晶駆動とタッチパネル駆動を同期させている状態では、タッチパネル３０の駆動信号の水平同期期間（以下、単に「１Ｈ期間」という）は固定されていたため、この１Ｈ期間の制約により、切り替え可能なタッチパネル３０の駆動周波数が制限されてしまうという問題点があった。
【００４８】
以下、このような問題点を解決すべく考案された本発明の一実施形態である携帯端末装置１の各構成要素の詳細について説明する。
【００４９】
〔液晶表示装置２〕
図２は、液晶表示装置２の構成を示すブロック図である。
【００５０】
同図に示すように、液晶表示装置２は、液晶モジュール１０、液晶パネル１１、液晶ドライバ１２、液晶コントローラ２０、タッチパネル３０、タッチパネルコントローラ（タッチパネル駆動装置）４０、ホストコントローラ５０を備える。
【００５１】
（液晶モジュール１０）
液晶モジュール１０は、液晶パネル１１および液晶ドライバ１２を含んで構成される。
【００５２】
（液晶パネル１１）
液晶パネル１１には、ゲートライン、ソースラインおよび表示画素が設けられている。ゲートラインは、所定の間隔を空けて互いに平行に複数本設けられている。一方、ソースラインは、ゲートラインと直交する方向に、所定の間隔を空けて互いに平行に複数本設けられている。表示画素は、ゲートラインとソースラインとの各交差点に設けられている。また、各表示画素には、スイッチング素子としてのＴＦＴ（thin film transistor）が接続されている。
【００５３】
なお、本実施形態では、表示パネルの一例としてＬＣＤ（Liquid Crystal Display）を例にとって説明するが、本発明を適用可能な形態は、ＬＣＤに限定されない。例えば、有機ＥＬ（Electro luminescence）ディスプレイ等を採用しても良い。
【００５４】
（液晶ドライバ１２）
液晶ドライバ１２は、ゲートラインを駆動するゲートドライバと、ソースラインを駆動するソースドライバとを備えている。ゲートドライバは、ＴＦＴをオン（ＯＮ）するための走査信号を各ゲートラインに順次出力する。ソースドライバは、各ソースラインに階調表示電圧（駆動電圧）を出力する。
【００５５】
ＴＦＴがオン状態のときに、表示画素にゲートラインからの駆動電圧が印加され、電荷が蓄積される。これにより、液晶の光透過率が駆動電圧に応じて変化して、液晶パネル１１での画像表示が行われる。
【００５６】
ここで、本実施形態の液晶表示装置２のように、入力装置としてタッチパネル３０を備える液晶表示装置２では、液晶パネル１１の表示動作によるノイズによって、タッチパネル３０が誤動作する可能性があるという別の問題点もある。このため、例えば、タッチパネル３０を備える液晶表示装置２では、フリッカあるいは焼付き現象などの防止対策として、液晶パネル１１に作用する駆動信号の極性をフレーム周期毎やライン走査周期毎に反転させることが好ましい。この場合、一定の電圧値に設定される共通電圧を上記周期毎に極性反転させることが多い。この共通電圧の極性を反転させるタイミングでノイズが発生する。このノイズがタッチパネル３０の駆動電圧に重畳されることにより、タッチパネル３０の感度の劣化やタッチ位置の誤検出が発生する可能性がある。
【００５７】
このため、液晶駆動とタッチパネル駆動とのタイミングを同期させることにより、水平ライン駆動期間（以下、１水平期間＝１Ｈ期間）中の極性反転によって発生するノイズのタイミングを外して、タッチパネルを駆動することが好ましい。
【００５８】
例えば、フリッカおよび焼付き現象を防止するため、液晶パネル１１は交流駆動され、表示画素に印加される駆動電圧の極性が、１または複数のゲートライン毎、１または複数のソースライン毎かつ１または複数のフレーム毎に反転される（ドット反転駆動方式）。その他にも１または複数のソースライン毎かつ１または複数のフレーム毎に反転される方式（ライン反転方式）などを採用しても良い。
【００５９】
（液晶コントローラ２０）
液晶コントローラ２０は、ホストコントローラ５０から供給される表示データＤに基づき、その表示データＤをＶｓｙｎｃ（垂直同期信号ＶＳ）、水平同期信号ＨＳなどの液晶パネル１１の表示制御を行うための信号とともに液晶ドライバ１２に供給する。これにより、液晶表示の駆動タイミングが制御され、表示データＤの画像が液晶パネル１１に表示される。
【００６０】
また、上述した液晶ドライバ１２は、後述する水平同期信号ＨＳをタッチパネルコントローラ４０に供給する。タッチパネルコントローラ４０は、液晶パネル１１共通電極の極性反転によって発生するノイズがタッチパネル３０に影響するのを低減するために、この水平同期信号ＨＳを用いて、極性反転していないタイミングでタッチパネル３０を駆動する。
【００６１】
（タッチパネル３０）
タッチパネル３０は、液晶パネル１１の表示画面上でタッチ操作を行うために設けられる入力装置である。タッチパネル３０に対してタッチ操作が行われると、タッチパネル３０は、タッチ位置に応じた信号を出力する。タッチパネル３０としては、あらゆる方式のタッチパネルを用いることができるが、本実施形態では、静電容量方式のタッチパネルを用いている。
【００６２】
図３は、タッチパネル３０の具体的な構成を示す図である。タッチパネル３０は、ｘ本のドライブラインＴ１〜Ｔｘ、ｙ本のセンスラインＲ１〜Ｒｙ、および静電容量Ｃ１１〜Ｃｘｙを備えて構成される。ドライブラインＴ１〜ＴｘとセンスラインＲ１〜Ｒｙとは格子状（マトリクス状）に配置されており、各静電容量Ｃ１１〜Ｃｘｙは、ドライブラインＴ１〜ＴｘとセンスラインＲ１〜Ｒｙとの各交点に形成されている。
【００６３】
（タッチパネルコントローラ４０）
また、上述したドライブラインＴ１〜ＴｘおよびセンスラインＲ１〜Ｒｙは、タッチパネルコントローラ４０に接続されている。タッチパネルコントローラ４０（および／またはホストコントローラ５０）は、本発明のタッチパネル駆動装置を具現化した形態に相当し、図２に示すように、タッチパネル駆動部（駆動制御手段）４１、入力操作検出部（信号検知手段）４２、ノイズ検知部（ノイズ検知手段）４３、割込み制御部（割込み制御手段）４４を備えている。
【００６４】
タッチパネル駆動部４１は、タッチパネル３０のドライブラインＴ１〜Ｔｘに電圧信号を順次印加する。これにより、静電容量Ｃ１１〜Ｃｘｙに電荷が蓄えられる。ここで、タッチパネル３０に物体が接触すると、接触位置に対応する静電容量の容量値が変化し、その静電容量が接続されているセンスラインの電流値が変化する。タッチパネルコントローラ４０の入力操作検出部４２は、センスラインＲ１〜Ｒｙの出力信号に基づいて、タッチ位置やタッチ範囲などを検出することができる。
【００６５】
（ノイズ検知部４３）
ノイズ検知部４３は、例えば、携帯端末装置１の外部に接続される電源変換装置４から発生する、電源ＩＣ（Integrated circuit）のスイッチングノイズやインバータ蛍光灯やＡＭ波による外来ノイズが入力操作検出部４２に影響を与えないように、タッチパネルコントローラ４０がノイズの影響を受けていることを検出する機能を有している。
【００６６】
（割込み制御部４４）
割込み制御部４４は、ノイズ検知部４３が外来ノイズを検知（検出）した際に、ホストコントローラ５０に外来ノイズ検知を伝えるための割込み信号（割込み要因：外来ノイズ検知）を出力する。なお、外来ノイズの検出方法の詳細については、後述する。
【００６７】
上記構成によれば、外来ノイズを低減させる処理を実行する部分と（例えば、ホストコントローラ５０）、外来ノイズの検知を行う部分（例えば、タッチパネルコントローラ３０）とを別々に分離して設けることができるので、例えば、タッチパネルコントローラ３０に外来ノイズを低減させる処理を実行する部分および外来ノイズの検知を行う部分の両方を設ける場合よりも、タッチパネルコントローラ３０における情報処理の処理コストや装置コストを低減させることができる。
【００６８】
（割込み制御部４４の動作の変形例その１）
また、割込み制御部４４は、上述した給電装置３の給電可能残量に応じて、上記割込み信号をホストコントローラ５０に送信するか否かを決定しても良い。
【００６９】
上記の構成によれば、例えば、給電装置３の給電可能残量（＝電池５の残量）が少なくなった場合に、割込み制御部４４に割込み信号をホストコントローラ５０に送信させないようにすれば、消費電力を低減させることができ、携帯端末装置１の稼働可能時間を増加させることができる。
【００７０】
（割込み制御部４４の動作の変形例その２）
割込み制御部４４は、上述した給電装置３の給電可能残量に応じて、上記割込み信号をホストコントローラ５０に送信する頻度を調整するようにしても良い。例えば、２回に１回の割合で、割込み信号の送信を間引くことなどが考えらえる。
【００７１】
上記の構成によれば、割込み制御部４４は、給電装置３の給電可能残量（＝電池５の残量）が多いときに割込み信号をホストコントローラ５０に送信する頻度を多くし（但し、ノイズ検知部４３による外来ノイズの検知頻度を超えない）、逆に給電装置３の給電可能残量が少ないときに割込み信号を送信する頻度を少なくする。これにより、外来ノイズの低減と、消費電力の低減とのバランスを効率良く保つことができる。
【００７２】
また、給電可能残量（例えば、電池残量）が下がると、例えば、定電流で給電回路が動作する。定電流状態では、電源回路のスイッチング（ＳＷ）周波数が一定であるため、例えば、図７に示すスプリアスのノイズの出方がほとんど変わらなくなる。
【００７３】
（ホストコントローラ５０）
ホストコントローラ５０は、外来ノイズ検知の割込み信号を受け取ると、液晶駆動パラメータ設定部５１にて、液晶駆動パラメータの変更を実施する。なお、液晶駆動パラメータの変更方法の詳細については、後述する。
【００７４】
（タッチパネルコントローラ４０の詳細）
次に、図４および図５に基づき、上述したタッチパネルコントローラ４０のより詳細な構成について説明する。
【００７５】
図４は、タッチパネルコントローラ４０の構成を示すブロック図である。
【００７６】
同図に示すように、入力操作検出部４２は、サンプリング部４２ａおよびタッチ位置算出部４２ｂを備える。
【００７７】
（タッチパネル駆動部４１）
タッチパネル駆動部４１は、上記のように、タッチパネル３０のドライブラインＴ１〜Ｔｘに接続されており、ドライブラインＴ１〜Ｔｘを順次駆動する。
【００７８】
（入力操作検出部４２）
入力操作検出部４２は、サンプリング部４２ａおよびタッチ位置算出部４２ｂを備えている。サンプリング部４２ａは、タッチパネル３０のセンスラインＲ１〜Ｒｙに接続されており、センスラインＲ１〜Ｒｙ（各座標）の出力信号を順次サンプリングして、サンプリングしたデータをノイズ検出部４３に入力する。
【００７９】
（ノイズ検知方法の詳細）
次に、ノイズ検知部４３による外来ノイズの検知方法について説明する。上記のとおりサンプリング部４２ａでは、センスラインＲ１〜Ｒｙの複数の出力信号を毎レポート、順次サンプリングして、各交点の数値化された静電容量値を計算する。
【００８０】
図５は、外来ノイズの低減処理の流れを説明するためのタイミングチャートである。図５（ａ）〜（ｋ）は、それぞれ、Ｖｓｙｎｃ信号、タッチパネル３０のレポート、面全体のＤＣマップ（平均値）、割込み制御、ホストコントローラ５０の制御、カウント値、水平同期信号、外来ノイズ、タッチパネル駆動信号を示す。
【００８１】
ここで、外来ノイズを受けている場合の複数の出力信号のいずれか少なくとも１つ（以下、単に「出力信号」という）の大きさは、外来ノイズを受けていない場合の通常の出力信号の大きさよりも大きくなる傾向があることを本発明者は見出した。すなわち、検知された出力信号の大きさが通常の出力信号よりも大きければ、外来ノイズを受けている可能性が高く、検知された出力信号の大きさが通常の出力信号と同程度であれば、外来ノイズを受けていない可能性が高い。よって、出力信号の大きさを検知することにより、外来ノイズの存否を検知することができる。
【００８２】
なお、「複数の出力信号のいずれか少なくとも１つの大きさに基づいて」とは、１つの出力信号に基づく場合と、２以上の出力信号に基づく場合とが考えられる。１つの出力信号に基づく場合としては、例えば、複数の出力信号のメジアンなどを求めるような場合が考えられる。一方、複数の出力信号に基づく場合としては、例えば、複数の出力信号の平均値や偏差値などを求めるような場合が考えられる。
【００８３】
また、「外来ノイズの存否」は、例えば、上記のメジアン、平均値、偏差値などが予め定めた閾値を超えるか否かによって判定することができる。なお、上記のメジアン、平均値、偏差値などを利用するのは、誤検知を回避するためである。
【００８４】
図５に示す例では、「面全体のＤＣマップ値（平均値）」が静電容量値に対応しており、複数の出力信号のいずれか少なくとも１つの大きさとして、「面全体のＤＣマップ値」を採用した場合を示している。同図に示す例では、外来ノイズを受けていない通常状態の静電容量値を１０とすると、外来ノイズを受けている状態では５０となっている。このように、外来ノイズを受けている場合の「面全体のＤＣマップ値」の大きさは、外来ノイズを受けていない場合の通常の「面全体のＤＣマップ値」の大きさよりも大きくなる傾向がある。
【００８５】
そこで、本実施形態では、予め閾値（この例では３０）を設定し、「面全体のＤＣマップ値（平均値）」が３０以上であれば、ノイズ検知部４３は、外来ノイズが存在すると判断し、割込み制御部４４は、ホストコントローラ５０に対して割り込み信号（割り込み要因：外来ノイズ検出）を出力する。一方、「面全体のＤＣマップ値（平均値）」が３０未満であれば、ノイズ検知部４３は、外来ノイズが存在していないと判断し、割込み制御部４４は、ホストコントローラ５０に対して割り込み信号を出力しない。
【００８６】
（ノイズ低減方法の詳細）
ここで、外来ノイズの周期がタッチパネルの駆動信号の水平同期期間（以下、「１Ｈ期間」という）の周期と干渉しているような場合でも、駆動信号の水平同期期間の周期または時間を調整することができれば、外来ノイズと１Ｈ期間の周期の干渉を抑制することができ（より具体的には、外来ノイズのピーク周波数を回避することができ）、外来ノイズを低減させることが可能となる。なぜなら、外来ノイズがタッチパネル３０の受信回路（不図示）に入力されたとき、検出周期に応じて受信信号は変化するものの、タッチ信号の場合、検出周期に応じて受信信号は変化しないという特性があるためである。
【００８７】
このため、本実施形態のホストコントローラ５０は、割り込み信号（割り込み要因：外来ノイズ検出）を受けると、液晶駆動パラメータ設定部５１にて、タッチパネル駆動信号の周波数を変更するために、液晶駆動パラメータの１Ｈ期間の周期または時間を変更するようにしている。これにより、外来ノイズの周期が１Ｈ期間の周期と干渉しているような場合でも、タッチ信号を確実に検出することができる。
【００８８】
次に、ノイズ検知部４３は、さらに図７に示すような外来ノイズの周期を特定し、液晶駆動パラメータ設定部５１は、特定された外来ノイズの周期に基づいて、入力操作検出部４２が複数の出力信号を検知する際に所定量以上の外来ノイズが入力されないように、駆動信号の１Ｈ期間の周期または時間を調整しても良い。
【００８９】
上記構成によれば、１Ｈ期間の周期または時間が必要以上に大きく変更されることがないため、１Ｈ期間の周期または時間の変更により、例えば、表示のフレームレートが６０Ｈｚ未満となってしまうような事態を回避することができる。
【００９０】
より具体的には、図５に示すように、１Ｈ期間をデフォルトの設定値１２．８μｓ（７８．４ＫＨｚ）から１μｓ減らして、１１．８μｓに設定することで、８．５％（６．６ＫＨｚ）周波数をシフトできる。ここでは、７６ＫＨｚ以下にすると、液晶表示のフレームレートが６０Ｈｚ以下になるため、上述したように、６０Ｈｚ以上を保持することを考慮している。
【００９１】
一方、仮に、１Ｈ周期を１μｓ減らしても、外来ノイズを回避できず静電容量値が閾値以下にならなかった場合は、１Ｈ周期をデフォルトの設定値１２．８μｓから１μｓ増やして、１Ｈ期間を１３．８μｓに設定する。図７は、携帯端末装置１に電源変換装置４（ＡＣチャージャー）を接続したときに発生する外来ノイズの周波数分布の一例を示すグラフである。
【００９２】
同図に示すように、タッチパネル３０の駆動信号の周波数を約±７％（約１０ＫＨｚ）シフトさせることで、外来ノイズのピーク周波数を回避することが可能となることが分かる。これにより、タッチ位置の誤検出を防止することができ、操作性を向上させることができる。
【００９３】
（メモリ部５２）
ホストコントローラ５０は、外来ノイズを回避できた１Ｈ周期の設定値をメモリ部（格納部）５２に格納する。上記構成によれば、予めメモリ部５２に格納した１Ｈ期間の周期または時間の調整値（外来ノイズの低減効果のあった値）を呼び出すことで、調整値をメモリ部５２に格納した後の、外来ノイズを回避するための処理時間およびタッチパネル感度劣化時間の短縮化が可能となり、タッチ検出時間を短くすることができる。すなわちタッチパネル３０の操作性を向上させることができる。
【００９４】
（外来ノイズの低減処理の流れの詳細）
次に、図６に基づき、外来ノイズの低減処理（タッチパネルの駆動方法）の流れについて説明する。図６は、外来ノイズの低減処理の流れ説明するためのフローチャートである。
【００９５】
まず、図６（ａ）は、タッチパネルコントローラ４０側の制御フローを示している。
【００９６】
ステップＳ（以下、「ステップ」は省略する）１１では、タッチパネルコントローラ４０の入力操作検出部４２は、ＴＰセンサ交点の数値化された複数の静電容量値（出力信号）のスキャン（検知）を開始してＳ１２に進む。なお、タッチパネルコントローラ４０はＴＰセンサ交点の数値化された静電容量値を、毎フレーム確認する。
【００９７】
Ｓ１２では、入力操作検出部４２は、タッチパネル３０の面全体（１面分；６０ｆｐｓ；frames per second）のＤＣマップ値をスキャン（検知）し、Ｓ１３に進む（信号検知ステップ）。
【００９８】
Ｓ１３では、ノイズ検知部４３が、正常時のスキャンデータ（予め定めた閾値＝ＤＣマップ値の平均値＝３０）と比較し、Ｓ１４に進む。
【００９９】
Ｓ１４では、ノイズ検知部４３は、面全体のＤＣマップ値の平均値が３０以上であれば、外来ノイズの存在が確認されたものとみなし、割込み制御部４４に対してその旨を通知してＳ１５に進む（ＹＥＳ；ノイズ検知ステップ）。一方、ノイズ検知部４３は、面全体のＤＣマップ値の平均値が３０未満であれば、外来ノイズが存在していないものとみなし、Ｓ１１に戻る（Ｎｏ）。ここでは、タッチパネル３０の駆動周波数と電源変換装置４によるＡＣチャージャーノイズの周波数とが干渉すると、タッチパネル３０の面内全体の静電容量値が通常時と比べて上昇する傾向があることを利用している。
【０１００】
Ｓ１５では、割込み制御部４４が、外来ノイズの存在が確認された旨の通知（外来ノイズ検知の通知）を受け、ホストコントローラ５０に対して、割込み信号（割込み要因；外来ノイズ検知または液晶周波数変更）を送信してＳ１６に進む。なお、このとき、面内のＤＣマップ値もフィードバックする。
【０１０１】
次に、図６（ｂ）は、ホストコントローラ５０側の制御フローを示す。
【０１０２】
上記のＳ１６からＳ１７に進み、Ｓ１７では、ホストコントローラ５０が割込み信号（割込み要因；外来ノイズ検知または液晶周波数変更）を受信（検出）してＳ１８に進む。
【０１０３】
Ｓ１８では、液晶駆動パラメータ設定部５１は、ノイズ低減パラメータ（これまでに外来ノイズの低減効果が得られたときの１Ｈ期間の周期または時間の調整値：以下、単に「パラメータ」という）がメモリ部５２に格納されているか否かを確認し、格納されていた場合は、Ｓ２２に進む（ＹＥＳ）。
【０１０４】
一方、パラメータがメモリ部５２に格納されていない場合には、Ｓ１９に進む。
【０１０５】
Ｓ１９では、タッチパネル駆動周波数を変更するために、液晶駆動パラメータの「１Ｈ期間の周波数」を広げたり狭めたりする。より具体的には、液晶駆動パラメータ設定部５１は、１Ｈ期間の周期（デフォルト）から１μｓ減算した値、または、１Ｈ期間の周期から１μｓ加算した値を求め、１Ｈ期間の周期から１μｓ減算した値が設定ＭＩＮ値以下か否かを確認し、１Ｈ期間の周期から１μｓ減算した値が設定ＭＩＮ値以下であれば、Ｓ２１に進む。一方、１Ｈ期間の周期から１μｓ減算した値が設定ＭＩＮ値を超えていれば、Ｓ２０に進む。なお、１Ｈ期間を広げるとフレームレート６０Ｈｚ以下となる可能性があるので、初めに１Ｈ期間を狭めるようにパラメータを設定することが好ましい。
【０１０６】
Ｓ２０では、液晶駆動パラメータ設定部５１は、液晶パラメータのうち、１Ｈ期間の周期から１μｓ減算した値を、新たな１Ｈ期間として設定して、Ｓ２２に進む。
【０１０７】
一方、Ｓ２１では、１Ｈ期間の周期から１μｓ加算した値を、新たな１Ｈ期間として設定して、Ｓ２２に進む。
【０１０８】
Ｓ２２では、Ｖ同期でパラメータ（新たな１Ｈ期間）を設定して、タッチパネルコントローラ４０のタッチパネル駆動部４１に通知し、タッチパネル駆動部４１がタッチパネル３０を駆動してＳ２３に進む（ノイズ低減ステップ）。
【０１０９】
Ｓ２３では、入力操作検出部４２がＤＣマップ値を取得し、新たな１Ｈ期間が、既にメモリ部５２に格納されている１Ｈ期間よりも外来ノイズの低減効果が高い場合には、最も低減効果の高い新たな１Ｈ期間をメモリ部５２に格納し、割込み処理をクリアしてＳ１１に戻る。これにより、次回タッチパネル３０が外来ノイズを受けた場合に、メモリ部５２に格納した液晶駆動パラメータ値を呼び出すことで、外来ノイズが少ない液晶駆動パラメータ値を見つけるための処理Ｓ１９〜Ｓ２１を省くことが可能となる。
【０１１０】
（１Ｈ期間の具体的な設定値について）
まず、±８．５％（６．６ＫＨｚ）周波数をシフトさせる場合の例について説明する。以下、デフォルトでは、１Ｈ周期＝７８．４ＫＨｚ（１Ｈ期間＝１２．８μｓ）であるものとする。
【０１１１】
まず、１．７６ＫＨｚ以下で、タッチパネル３０の駆動周波数が６０Ｈｚ以下となるため、１Ｈ周期を減らす側にシフトさせる（設定限界値＝±１μｓとする）。
【０１１２】
１Ｈ期間（デフォルト）−１μｓ＝１１．８μｓ（８４．８ＫＨｚ）、これにより、タッチパネル３０の駆動周波数が８．５％（６．６ＫＨｚ）シフトする。
【０１１３】
一方、１Ｈ周期を減らす側にシフトさせて、ＡＣチャージャーノイズを回避できなかった場合は、１Ｈ周期を増やす側にシフトさせる。
【０１１４】
１Ｈ期間（デフォルト）＋１μｓ＝１３．８μｓ（７２．５ＫＨｚ）、これにより、タッチパネル３０の駆動周波数が８．５％（６．６ＫＨｚ）シフトする。
【０１１５】
なお、以上の例では、液晶駆動パラメータ設定部５１は、１Ｈ期間の周波数のシフトを一度に±８．５％シフトさせる場合について説明したが、周波数のシフト方法は、これに限定されない。例えば、±１．７％、±３．４％、±５．１％、±６．８％、±８．５％の順に、絶対値１．７％ずつシフトさせ、これらの設定値のうち、最もＤＣマップ値が下がる値（外来ノイズの低減効果が最も高い値）を選択する構成を採用しても良い。
【０１１６】
以上により、液晶駆動とタッチパネル駆動とを同期させた状態で、ＡＣチャージャーノイズの周波数とタッチパネル駆動周波数が干渉した場合に、タッチパネル感度の低下を防ぐことができる。
【０１１７】
また、次回同じ電源変換装置４から携帯端末装置１を充電させた際に、タッチパネル感度劣化の期間を最小化することが可能となる。言い換えれば、液晶駆動パラメータ（１Ｈ期間の周波数）の探索時間を短縮することが可能になる。
【０１１８】
〔ソフトウェアによる実現例〕
最後に、タッチパネルコントローラ４０またはホストコントローラ５０の各ブロック、特にタッチパネル駆動部４１、入力操作検出部４２、ノイズ検知部４３、割込み制御部４４、液晶駆動パラメータ設定部５１は、集積回路（ＩＣチップ）上に形成された論理回路によってハードウェア的に実現してもよいし、ＣＰＵ（Central Processing Unit）を用いてソフトウェア的に実現してもよい。
【０１１９】
後者の場合、タッチパネルコントローラ４０またはホストコントローラ５０は、各機能を実現するプログラム（タッチパネル駆動プログラム）の命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアであるタッチパネルコントローラ４０またはホストコントローラ５０の制御プログラムのプログラムコード（実行形式プログラム、中間コードプログラム、ソースプログラム）をコンピュータで読み取り可能に記録した記録媒体を、上記タッチパネルコントローラ４０またはホストコントローラ５０に供給し、そのコンピュータ（またはＣＰＵやＭＰＵ）が記録媒体に記録されているプログラムコードを読み出し実行することによっても、達成可能である。
【０１２０】
上記記録媒体としては、一時的でない有形の媒体（non-transitory tangible medium）、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類などを用いることができる。
【０１２１】
また、タッチパネルコントローラ４０またはホストコントローラ５０を通信ネットワークと接続可能に構成し、上記プログラムコードを、通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１２２】
〔本発明の別の表現〕
本発明は、以下のように表現することもできる。
【０１２３】
すなわち、本発明のタッチパネル駆動装置は、表示装置への電源を供給する給電手段と、表示装置に用いられるタッチパネルを駆動する駆動手段と、上記タッチパネルの出力信号に基づいて、上記タッチパネルに対する入力操作を検出する入力操作検出手段と、上記給電手段から発生するノイズが上記入力操作検出手段に与える影響を低減するノイズ低減手段を備えるタッチパネル駆動装置であって、給電時のノイズの大きさ及び周期を特定するノイズ検出手段と、上記ノイズ検出手段が検出したノイズの大きさ及び周期に応じて上記ノイズ低減手段によるノイズ低減方法を制御するノイズ低減制御手段を備えていても良い。
【０１２４】
上記構成によれば、表示装置の表示動作によるノイズを除去しつつ、外来ノイズの影響を最小化することが可能となり、タッチ信号を確実に検出することができる。
【０１２５】
また、本発明のタッチパネル駆動装置は、上記ノイズ低減手段は上記ノイズ検出手段が検出するノイズの周期を特定し、上記入力検出手段が入力を検知するタイミングに一定量以上のノイズが入力されないように上記駆動手段を制御しても良い。
【０１２６】
また、本発明のタッチパネル駆動装置は、動作周波数を制御しても良い。
【０１２７】
また、本発明のタッチパネル駆動装置は、上記駆動手段を制御するにあたり、動作周波数の制御方法として、液晶駆動設定パラメータ（水平同期期間の周期もしくは時間）を制御しても良い。
【０１２８】
また、本発明のタッチパネル駆動装置は、上記駆動手段を制御するにあたり、上記液晶駆動設定パラメータをメモリに格納することでノイズ低減処理に必要となる時間を短縮し、タッチパネル感度劣化時間を最小化しても良い。
【０１２９】
また、本発明のタッチパネル駆動装置は、上記駆動手段を制御するにあたり、給電手段の電池残量をメモリに格納することで電池残量に応じて、上記液晶駆動設定パラメータを制御するかしないかを判断しても良い。
【０１３０】
また、本発明の表示装置は、タッチパネルと、当該タッチパネルを駆動するタッチパネル駆動装置とを備える表示装置であって、上記タッチパネル駆動装置として、上記のいずれかのタッチパネル駆動装置を備えることを特徴とする表示装置。
【０１３１】
また、本発明の表示装置は、液晶表示装置であっても良い。
【０１３２】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１３３】
本発明は、タッチパネルが組み込まれた表示装置および該表示装置を備えた携帯端末に適用できる。具体的には、表示装置として、例えば、アクティブマトリクス型の液晶表示装置に用いることができると共に、電気泳動型ディスプレイ、ツイストボール型ディスプレイ、微細なプリズムフィルムを用いた反射型ディスプレイ、デジタルミラーデバイス等の光変調素子を用いたディスプレイの他、発光素子として、有機ＥＬ発光素子、無機ＥＬ発光素子、ＬＥＤ（Light Emitting Diode）等の発光輝度が可変の素子を用いたディスプレイ、フィールドエミッションディスプレイ（ＦＥＤ）、プラズマディスプレイにも利用することができる。
【符号の説明】
【０１３４】
１    携帯端末装置（携帯端末）
２    液晶表示装置（表示装置）
３    給電装置
４    電源変換装置
１０    液晶モジュール
１１    液晶パネル
１２    液晶ドライバ
２０    液晶コントローラ
３０    タッチパネル
４０    タッチパネルコントローラ（タッチパネル駆動装置）
４１    タッチパネル駆動部（駆動制御手段）
４２    入力操作検出部（信号検知手段）
４２ａ  サンプリング部
４２ｂ  タッチ位置算出部
４３    ノイズ検知部（ノイズ検知手段）
４４    割込み制御部（割込み制御手段）
５０    ホストコントローラ
５１    液晶駆動パラメータ設定部（ノイズ低減手段）
５２    メモリ部（格納部）
Ｃ１１〜Ｃｘｙ  静電容量
Ｒ１〜Ｒｙ  センスライン
Ｔ１〜Ｔｘ  ドライブライン
【図１】
2014041555.tif 000003
【図２】
2014041555.tif 000004
【図３】
2014041555.tif 000005
【図４】
2014041555.tif 000006
【図５】
2014041555.tif 000007
【図６】
2014041555.tif 000008
【図７】
2014041555.tif 000009